(57)【要約】      （修正有）【課題】外出中にいつでも施錠確認が可能とし、電池を不要として、落下等での衝撃にての破損や故障が生じない軽量・薄型の施錠確認機能を有する鍵付属品を提供する。【解決手段】衝撃により破損しない素材の二辺を閉鎖したホルダー１にスライド開口３と開口端部に施錠状態が判別できる表示６及び７、開口している長辺端部を容易に閉鎖を解除できるファスナー５を設け、ホルダーに鍵本体４を挟み込み、スライド開口と鍵本体のつまみ部分にある穴にリング２を通してホルダーと鍵本体を一体とした。施錠の際は、リングを操作Ａの方向にスライドして、鍵本体の差込み部分を露出して鍵穴にさし、施錠後、鍵本体の差込み部分を操作Ｂ方向にリングの軸に１８０度回転させファスナーをあけ鍵本体をホルダーに収納する。その時リングは、閉の表示部分に残置して施錠をした痕跡を意味する。リングの位置を見ることにより施錠をしてあるか否かの確認ができる。【選択図】図１
2011106251.tif 000002
【特許請求の範囲】
【請求項１】
（イ）二辺を閉鎖したホルダー（１）にスライド開口（３）と、その開口端部に施錠状態      が判別できる表示（６）及び（７）を設ける。（ロ）上記のホルダー（１）に鍵本体（４）を挟み込み、スライド開口（３）と鍵本体（      ４）のつまみ部分にある穴にリング（２）を通して鍵本体（４）と連結し、ホルダ      ー（１）と鍵本体（４）を一体にする。（ハ）携帯中にホルダー（１）の開口してある長辺の端部から、鍵本体（４）がはみ出な      いようにするため、また施錠後鍵本体（４）の差込み部分を施錠後１８０度リング      軸に回転させて収納、または開錠の時ホルダー（１）より取り出するために、容易      に閉鎖を解除できるファスナー（５）を設ける。以上の構成より、施錠の際に、連結してある鍵本体（４）とリング（２）を、一定方向にスライドさせ、施錠後、リング（２）を施錠してあることの表示（７）に残置させた状態を維持して鍵本体（４）をホルダー（１）に収納することにより、外出中いつでもリング（２）の位置を見ることにより施錠してあるか否かの確認ができることを特徴とした施錠確認機能を有する鍵付属品。
【発明の詳細な説明】
【技術分野】
【０００１】本発明は、現在使用または新規の鍵を本発明のキーホルダーに取り付けて使用することにより、外出時にいつでも施錠してあるか否かの確認ができる、施錠確認機能を有する鍵付属品に関するものである。
【背景技術】
【０００２】自宅や会社などの玄関ドアの鍵は、施錠時に考え事をしていた場合や、急いでいた場合など無意識に施錠する事があり、外出中にふと施錠してきたかどうか非常に不安になる時がある。【０００３】これを解消するための今までにある施錠状態を表示する鍵付属品は、多様な構成のものが提案されているが、電子的な作動や機械的な作動によるもので、電池切れや誤作動、また不意な落下等による破損や故障が生じる事が考えられる。また構造が複雑で安価での提供は難しいと思われる。【０００４】
【先行技術文献】
【特許文献】
【０００５】
【特許文献１】特許公開２００６−０１６９４６
【特許文献２】特許公開２００８−０４５３４３
【特許文献３】特許公開２００８−２６７１１１
【発明の開示】
【発明が解決しようとする課題】
【０００６】従来の発明には、次のような問題点があった。（イ）施錠・開錠時や携帯中に、不意な落下等による破損や故障が生じるため、衝撃によ      り破損しない素材・構造とする必要がある。（ロ）電子構造は雨などの水に弱く、また電池切れによる表示不能が生じるため、電子的      でなく電源が不要なものにする必要がある。（ハ）バッグやポケットに入れての携帯中に、他の物との接触等による誤作動や誤表示を      起こす可能性もあるため、機械構造でないものにする必要がある。（ニ）構造が複雑で安価での提供が難しいため、単純な構造とする必要がある。（ホ）鍵本体よりかなり大きい、あるいは厚みが有り携帯中かさばるため、厚さも含め鍵      本体とあまり変わらない大きさとする必要がある。（ヘ）鍵の種類や形状に制約されるものがあり、汎用性の高いものにする必要がある。本発明は、以上のような問題点を解決するためになされたものである。
【課題を解決するための手段】
【０００７】本発明は、衝撃により破損が生じない素材、例えば合成皮革の二辺を閉鎖（ａ）し、それに鍵本体（４）が一定方向にスライドさせるため中央部分にスライド開口（３）を施したホルダー（１）に鍵本体（４）を挟み込み、スライド開口（３）と鍵本体（４）のつまみ部分にある穴にリング（２）を通して鍵本体（４）と連結し、ホルダー（１）と鍵本体（４）を一体とした。またホルダー（１）の開口している長辺の端部から鍵本体（４）がはみ出ないようにするためと、操作時に鍵本体（４）の差込み部分を回転させて収納または取り出しをするために、容易に閉鎖を解除できるファスナー（５）を設けた構成である。【０００８】在宅中は、鍵本体（４）が図３に示す方向に向いていて、リング（２）の位置は  開  の表示（６）の方にある。尚、通常在宅中はサムターンで施錠するため表示にとらわれない。【０００９】施錠の際は、図１および図４に示す操作Ａの方向にリング（２）をスライドして鍵本体（４）をホルダー（１）の開口している短辺から差込み部分を露出して鍵穴にさし施錠する。【００１０】施錠後、鍵本体（４）の差込み部分を図１および図５に示す操作Ｂ方向に１８０度リング（２）の軸に回転させ、容易に閉鎖を解除できるファスナー（５）の接合部分をあけて、図５に示す位置に鍵本体（４）をホルダー（１）に収納する。【００１１】その時、リング（２）は  閉  の表示（７）に残置して施錠をした痕跡を意味する。これにより外出中にふと施錠してきたかどうか気になった時、本発明のホルダー（１）にあるリング（２）の位置を見ることによって、施錠をしたか確認ができる。【００１２】尚、帰宅等により開錠の時は施錠時での一連の操作の逆を行ない、図６のように操作Ｃ・操作Ｄにて図３に示す状態に戻る。
【発明の効果】
【００１３】本発明により、外出中にふと施錠してきたかどうか気になった時、いつでもホルダー（１）のリング（２）の位置を見ることにより、施錠してあるか否かの確認をすることができ、不安を解消することができる。【００１４】従来にも施錠確認ができる鍵付属品はあったが、本発明は、不意な落下等での衝撃による破損や故障がなく携帯中において誤作動や誤表示を生じない。また、軽量・小型化で携帯しやすく、汎用性が高く単純構造のため安価にての提供をすることができる。【００１５】電子構造でないため雨など水に濡れても支障がなく、電池切れによる表示不能も生じない。【００１６】複数の鍵の場合、ホルダー（１）本体の色を変えることにより鍵の識別が容易にできる。
【発明を実施するための最良の形態】
【００１７】以下、本発明の実施形態について、図面に基づいて説明する。
【実施例】
【００１８】図１は、ホルダー（１）に鍵本体（４）を挟み込み、スライド開口（３）と鍵本体（４）のつまみ部分にある穴にリングを通して鍵本体（４）と連結し、ホルダー（１）と鍵本体（４）を一体としたものである。携帯時にホルダー（１）から鍵本体（４）がはみ出ないようにするためと、操作時に鍵本体（４）を収納または取り出しをするために、ホルダー（１）の閉鎖していない長辺に容易に閉鎖を解除できるファスナー（５）を設けてある。【００１９】ホルダー（１）は、操作Ｂまたは操作Ｃにおいて若干の柔軟性を必要とし、また衝撃による破損や、雨など水に濡れての変形や使用不能などを防ぐことを考慮すると、１ｍｍ程度の合成皮革が適している。端部に補強を施せば軟質合成樹脂シートでも良い。複数の鍵を取り扱うこともあるため、ホルダー（１）の色を変えることにより鍵の識別が容易になる。【００２０】リング（２）は、操作上支障が生じないよう、ホルダー（１）の閉鎖していない長辺側に回り込まないリング内径とする。耐久性を考慮すると鋼製が適していて、鍵本体（４）の脱着が可能なものとする。また、携帯の快適性から楕円形が適している。これらは市販のもので十分対応ができる。【００２１】スライド開口（３）の幅はリング（２）の径と同等程度とし、両端部は開口角部分からの亀裂を防ぐため、角を作らず円状にする。【００２２】鍵本体（４）は、現在使用している鍵・新規の鍵の両方が使用でき、また、全ての差込み形状の鍵に対応できる。【００２３】容易に閉鎖を解除できるファスナー（５）は、１ｍｍ程度の厚みの一対とし、それぞれ片面をホルダー（１）に固定する。使用頻度や操作性からゴム製薄型磁石が適している。【００２４】開の表示（６）や閉の表示（７）は、刻印等にて容易に文字が消えないようにする。文字でなく記号や色分けでの表示でも良い。また、暗闇でも確認できるように蛍光顔料を施す。【００２５】一般には、他の鍵と一緒に市販のキーホルダーに収めてぶら下げているため、リング（２）が（あ）または（い）位置にする必要がある。そのためにリング（２）を通過できるようにホルダー（１）にすみ切り（８）を設ける。ただし、スライド開口（３）を、リング（２）が通過できるまでスライド開口（３）の軸をホルダー（１）の閉鎖している長辺側にずらすことにより、すみ切りを無しにすることもできる。尚、他の角はリング（２）が回り込むと操作Ｂの時リング（２）が邪魔になるため通過できないようにする必要がある。【００２６】図３は、在宅中の状態を示す。リング（２）の位置は、開  の表示（６）の方にある。また、一般には他の鍵と一緒に市販のキーホルダーまたはリングに収めてぶら下げているため、リング（２）の向きは、図３内の（あ）の位置になる。【００２７】外出時施錠の際は、リング（２）を図４に示す操作Ａ方向にスライドして、鍵本体（４）をホルダー（１）の開口している短辺から、差込み部分を露出して鍵穴にさし施錠する。【００２８】施錠後、鍵本体（４）の差込部分を操作Ｂ方向に１８０度リング（２）の軸に回転させ、容易に閉鎖を解除できるファスナー（５）の接合部分をあけて、図５に示す位置に鍵本体をホルダー（１）に収納する。【００２９】その時、リング（���）は  閉  の表示（７）部分に残置して、施錠をした痕跡を意味する。これにより、本発明のホルダー（１）にあるリング（２）の位置を見ることにて施錠してあるか否かの確認をすることができる。携帯中は一般に市販のキーホルダーまたはリングに収めてぶら下げているため、リング（２）の向きは（い）の位置になる。【００３０】尚、帰宅等により開錠の時は施錠時での一連の操作の逆を行ない、図６のように操作Ｃ・操作Ｄにて図３に示す状態に戻る。
【図面の簡単な説明】
【００３１】
【図１】本発明の実施形態を示す本発明の側面図
【図２】本発明のア−ア線断面図
【図３】在宅時での本発明の鍵本体（４）とリング（２）の位置を示す側面図
【図４】施錠時での本発明の鍵本体（４）とリング（２）位置を示す側面図
【図５】施錠中（外出時）での本発明の鍵本体（４）とリング（２）位置を示す側面図
【図６】開錠時での本発明の鍵本体（４）とリング（２）位置を示す側面図
【符号の説明】
【００３２】１  ホルダー（衝撃により破損しない素材）２  リング（鍵の取り外しが可能なもの）３  スライド開口（鍵本体と一体となったリングをホルダー内で一定方向にスライドする）４  鍵本体５  容易に閉鎖を解除できるファスナー６  リングが、開錠してある位置にあることの表示７  リングが、施錠してある位置にあることの表示８  リングを通過させるためのすみ切りａ  ホルダーの閉鎖してある辺あ  ホルダーをぶら下げて収納する時のリングの位置い  ホルダーをぶら下げて携帯する時のリングの位置
【図１】
2011106251.tif 000003
【図２】
2011106251.tif 000004
【図３】
2011106251.tif 000005
【図４】
2011106251.tif 000006
【図５】
2011106251.tif 000007
【図６】
2011106251.tif 000008